【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
サブストレート層（１４）を備えた光学的セキュリティ素子（１）であって、
複数のレリーフパラメータによって画成されたレリーフ構造（１７）が、光学的に識別可能な効果を生じさせるために、前記サブストレート層の、Ｘ軸およびＹ軸によって画成された表面領域(２１，２７，３３，４，５０，７，６５)に形成されてなる光学的セキュリティ素子（１）において、
前記表面領域(２１，２７，３３，４，５０，７，６５)に前記レリーフ構造を画成する前記複数のレリーフパラメータのうちの一つまたは複数が、周期的なパラメータ変化関数に従って周期的に変化せしめられ、
前記表面領域(２１，２７，３３，４，５０，７，６５)は、一つまたは複数のパタン領域（２３，２９，３０，３５，５０２，７４，６７）と、一つの背景領域(２２，２８，３４，５０１，７３，６６)とに分割され、
該背景領域(２２，２８，３４，５０１，７３，６６)および前記一つまたは複数のパタン領域（２３，２９，３０，３５，５０２，７４，６７）における前記レリーフ構造のレリーフ形状、レリーフ深さ、空間周波数および方位角を規定する前記複数のレリーフパラメータのうちの一つまたは複数が、周期的なパラメータ変化関数（５３，５４，５５）に従って周期的に変化せしめられ、
前記レリーフ構造は回折格子であり、かつ前記パラメータ変化関数の周期は２０μｍと３００μｍとの間であり、
前記一つまたは複数のパタン領域（２３，２９，３０，３５，５０２，７４，６７）における前記レリーフ構造（１７）のレリーフ形状、レリーフ深さ、空間周波数および方位角を規定する前記複数のレリーフパラメータのうちの一つまたは複数が、前記背景領域(２２，２８，３４，５０１，７３，６６)のパラメータ変化関数に対して位相をずらされたパラメータ変化関数に従って変化せしめられることを特徴とする光学的セキュリティ素子。
【請求項２】
前記パタン領域と前記背景領域との前記パラメータ変化関数間の位相ずれが約１８０度であることを特徴とする請求項１記載の光学的セキュリティ素子。
【請求項３】
前記パタン領域と前記背景領域との間の前記パラメータ変化関数の位相ずれが、設定されるコントラストに従って選択されることを特徴とする請求項１または２記載の光学的セキュリティ素子。
【請求項４】
前記レリーフ構造は、方位角が前記パラメータ変化関数に従って周期的に変化せしめられる回折格子であることを特徴とする請求項１から３のいずれか１項記載の光学的セキュリティ素子。
【請求項５】
平均方位角が肉眼の解像能力に関して一定であることを特徴とする請求項４記載の光学的セキュリティ素子。
【請求項６】
前記パラメータ変化関数が、前記回折格子の方位角をＸ軸の値に応じて周期的に変化させることを特徴とする請求項４または５記載の光学的セキュリティ素子。
【請求項７】
前記パラメータ変化関数が、前記回折格子の方位角を、該回折格子が複数の蛇行線形状の線から構成される態様で変化させることを特徴とする請求項６記載の光学的セキュリティ素子。
【請求項８】
前記パラメータ変化関数が、前記回折格子の方位角をＸ軸の値に応じて変化させる正弦関数であることを特徴とする請求項７記載の光学的セキュリティ素子。
【請求項９】
前記パラメータ変化関数が、前記回折格子の方位角をＸ軸の値およびＹ軸の値に応じて周期的に変化させることを特徴とする請求項４から６のいずれか１項記載の光学的セキュリティ素子。
【請求項１０】
前記パラメータ変化関数は、前記回折格子の方位角を該回折格子が同心的に配置された複数の線から構成される態様で変化させることを特徴とする請求項９記載の光学的セキュリティ素子。
【請求項１１】
前記回折格子が３００本／ｍｍを超える空間周波数を有することを特徴とする請求項４から１０のいずれか１項記載の光学的セキュリティ素子。
【請求項１２】
前記レリーフ構造（１７）は、空間周波数が前記パラメータ変化関数（５３，５４，５５）に従って周期的に変化せしめられる回折格子であることを特徴とする請求項１から１１のいずれか１項記載の光学的セキュリティ素子。
【請求項１３】
平均空間周波数が肉眼の解像能力に関して一定であることを特徴とする請求項１２記載の光学的セキュリティ素子。
【請求項１４】
前記パラメータ変化関数（５３，５４，５５）が、前記回折格子の空間周波数を、Ｘ軸の値に応じて最大周波数と最小周波数との間で周期的に変化させることを特徴とする請求項１２または１３記載の光学的セキュリティ素子。
【請求項１５】
前記パラメータ変化関数が、鋸歯状関数（５３）または三角形関数（５４）または正弦関数（５５）であることを特徴とする請求項１４記載の光学的セキュリティ素子。
【請求項１６】
前記レリーフ構造（１７）は、輪郭深さが前記パラメータ変化関数に従って周期的に変化せしめられる回折格子（６１）であることを特徴とする請求項１から１５のいずれか１項記載の光学的セキュリティ素子。
【請求項１７】
前記パラメータ変化関数が、前記回折格子（６１）の輪郭深さを、Ｘ軸の値に応じて最大深さと最小深さとの間で周期的に変化させることを特徴とする請求項１６記載の光学的セキュリティ素子。
【請求項１８】
前記パラメータ変化関数が、三角形関数または方形関数または正弦関数であることを特徴とする請求項１６または１７記載の光学的セキュリティ素子。
【請求項１９】
前記レリーフ構造のレリーフ形状（７５，７６）が、前記パラメータ変化関数に従って周期的に変化せしめられることを特徴とする請求項１から１８のいずれか１項記載の光学的セキュリティ素子。
【請求項２０】
前記レリーフ形状が、非対称的な、互いに鏡面対称関係にある二つのレリーフ形状（７５，７６）の間で周期的に変化せしめられることを特徴とする請求項１９記載の光学的セキュリティ素子。
【請求項２１】
前記レリーフ構造の谷の幅が、前記パラメータ変化関数に従って周期的に変化せしめられることを特徴とする請求項１から２０のいずれか１項記載の光学的セキュリティ素子。
【請求項２２】
前記レリーフ構造の平均方位角が、協働する検証素子（１０１〜１０６）の方位角にそれぞれ対応していることを特徴とする請求項１から２１のいずれか１項記載の光学的セキュリティ素子。
【請求項２３】
前記背景領域と前記パタン領域との間の位相ずれに、さらなる関数変化が伴っていることを特徴とする請求項１から２２のいずれか１項記載の光学的セキュリティ素子。
【請求項２４】
隠された情報を可視化するためのシステムであって、
一つの光学的セキュリティ素子（１）を備え、該光学的セキュリティ素子（１）はサブストレート層（１４）を備え、複数のレリーフパラメータによって画成されたレリーフ構造（１７）が、光学的に識別可能な効果を生じさせるために、前記サブストレート層（１４）の、Ｘ軸およびＹ軸によって画成された表面領域(２１，２７，３３，４，５０，７，６５)に形成されてなるシステムにおいて、
前記表面領域(２１，２７，３３，４，５０，７，６５)に前記レリーフ構造を画成する前記複数のレリーフパラメータのうちの一つまたは複数が、周期的パラメータ変化関数（５３，５４，５５）に従って周期的に変化せしめられ、
前記表面領域(２１，２７，３３，４，５０，７，６５)は、一つまたは複数のパタン領域（２３，２９，３０，３５，５０２，７４，６７）と、一つの背景領域(２２，２８，３４，５０１，７３，６６)とに分割され、
該背景領域(２２，２８，３４，５０１，７３，６６)および前記一つまたは複数のパタン領域（２３，２９，３０，３５，５０２，７４，６７）における前記レリーフ構造のレリーフ形状、レリーフ深さ、空間周波数および方位角を規定する前記複数のレリーフパラメータのうちの一つまたは複数が、周期的なパラメータ変化関数（５３，５４，５５）に従って周期的に変化せしめられ、
前記レリーフ構造は回折格子であり、かつ前記パラメータ変化関数の周期は２０μｍと３００μｍとの間であり、
前記一つまたは複数のパタン領域（２３，２９，３０，３５，５０２，７４，６７）に前記レリーフ構造（１７）のレリーフ形状、レリーフ深さ、空間周波数および方位角を規定する前記複数のレリーフパラメータのうちの一つまたは複数が、前記背景領域(２２，２８，３４，５０１，７３，６６)のパラメータ変化関数に対して位相をずらされたパラメータ変化関数に従って変化せしめられ、
さらに、周期的透過関数によって画成されかつその周期が前記パラメータ変化関数に対応する検証格子を備えた検証素子を有することを特徴とする、隠された情報を可視化するためのシステム。
【請求項２５】
前記透過関数が非２値透過関数であることを特徴とする請求項２４記載のシステム。